(57)【要約】【課題】複数のお好みチャンネルに対するチャンネル登録のためのユーザインターフェース画面を、背面の表示画像が見やすく提示すること。【解決手段】複数の受信可能チャンネルの中から、特定のチャンネルを複数のお好みチャンネルに任意に登録する処理を行う場合において、複数のお好みチャンネルに個別に登録する処理の実行を要求されたときに表示されている番組の画像６００に対する面積率を小さくするために、登録対象であるチャンネルのだけに対するお好みチャンネル登録画面６１０を提示する。このお好みチャンネル登録画面６１０には、複数のお好みチャンネルを示す記号や、チャンネルのスキップを示すスキップマーク６１１、チャンネルの視聴にパスワードの入力が必要であることを示すパスワードマーク６１２と、それぞれに対応する設定枠を併せて表示する。【選択図】図６
2010206825.tif 000002
【特許請求の範囲】
【請求項１】
受信可能なチャンネルの中からグループに登録する対象のチャンネルのチャンネル番号または放送局名を示す情報と、当該対象のチャンネルに対する複数のグループへの登録設定を含む複数の設定を行うための複数のグラフィックユーザインターフェース部品とを、１のチャンネルに対して提示する提示手段と、
前記提示手段が提示した前記グラフィックユーザインターフェース部品への設定に応じて、前記対象のチャンネルを任意のグループに登録することをユーザに許可する登録手段と、
を具備することを特徴とするチャンネル登録装置。
【請求項２】
前記提示手段は、前記対象のチャンネルを任意に切替えることをユーザに許可することを特徴とする請求項１記載のチャンネル登録装置。
【請求項３】
前記提示手段は、前記グラフィックユーザインターフェース部品を提示するときに、このとき出力されている映像の画面の一部に対して重畳した領域または重ならない領域に提示することを特徴とする請求項１記載のチャンネル登録装置。
【請求項４】
前記登録手段は、前記チャンネルを切替えたときに選局を拒否するスキップを前記対象のチャンネルに設定した場合、当該スキップ設定したチャンネルを前記グループに登録することを拒否することを特徴とする請求項１記載のチャンネル登録装置。
【請求項５】
前記登録手段で登録されたグループに属する１以上のチャンネルから任意のチャンネルを選局することをユーザに許可する選局手段を
さらに具備することを特徴とする請求項１記載のチャンネル登録装置。
【請求項６】
受信可能なチャンネルの中からグループに登録する対象のチャンネルのチャンネル番号または放送局名を示す情報と、当該対象のチャンネルの複数のグループへの登録設定を含む所定の設定を行うためのグラフィックユーザインターフェース部品とを、１のチャンネル分について提示する提示手段と、
前記提示手段が提示した前記グラフィックユーザインターフェース部品への設定に応じて、前記対象のチャンネルを任意のグループに登録することをユーザに許可する登録手段と、
を具備することを特徴とするチャンネル登録装置。
【請求項７】
前記提示手段は、前記対象のチャンネルを切替えることをユーザに許可することを特徴とする請求項６記載のチャンネル登録装置。
【請求項８】
前記提示手段は、前記グラフィックユーザインターフェース部品を、現在出力されている映像の一部に重畳する領域または重ならない領域に提示することを特徴とする請求項６記載のチャンネル登録装置。
【請求項９】
前記登録手段は、チャンネルの切替えにおいて選局を拒否するチャンネルスキップが前記対象のチャンネルに設定された場合、当該チャンネルスキップを設定されたチャンネルを前記グループに登録することを拒否することを特徴とする請求項６記載のチャンネル登録装置。
【請求項１０】
前記登録手段で登録された前記グループに属する１以上のチャンネルから任意のチャンネルを選局することをユーザに許可する選局手段を
さらに具備することを特徴とする請求項６記載のチャンネル登録装置。
【請求項１１】
前記提示手段は、前記対象のチャンネルのチャンネル番号または放送局名を示す情報と、前記グラフィックユーザインターフェース部品とを、別の位置に提示することを特徴とする請求項６記載のチャンネル登録装置。
【請求項１２】
受信可能なチャンネルの中からグループに登録する対象のチャンネルの複数のグループへの登録設定を含む所定の設定を行うためのグラフィックユーザインターフェース部品を、１のチャンネル分について提示する提示手段と、
前記提示手段が提示した前記グラフィックユーザインターフェース部品への設定に応じて、前記対象のチャンネルを任意のグループに登録することをユーザに許可する登録手段と、
を具備することを特徴とするチャンネル登録装置。
【請求項１３】
受信可能なチャンネルの中からグループに登録する対象のチャンネルのチャンネル番号または放送局名を示す情報と、当該対象のチャンネルの複数のグループへの登録設定を含む所定の設定を行うための複数のグラフィックユーザインターフェース部品とを、１のチャンネル分について提示し、
提示した前記グラフィックユーザインターフェース部品への設定に応じて、前記対象のチャンネルを任意のグループに登録することをユーザに許可する、
ことを特徴とするチャンネル登録方法。
【発明の詳細な説明】
【技術分野】
【０００１】
本発明は、ユーザによって任意に選択されて登録された一つ以上のチャンネルを選択可能に提示する選局対象チャンネルリストを提示するチャンネル登録装置およびチャンネル登録方法に関し、特に特定のチャンネルを選局対象チャンネルリストへ登録する装置および方法に関する。
【背景技術】
【０００２】
近年、放送番組は、地上アナログ放送や地上デジタル放送、ＢＳ放送、ＣＳ放送だけでなく、インターネットからも提供され始め、ますます多チャンネル化している。
【０００３】
そして、多くのチャンネルの中から特定のチャンネルを選局しやすくするために、ユーザが受信可能チャンネルなどから好んで視聴する一つ以上のチャンネルを任意に選択して登録し、この登録された一つ以上のチャンネルをお好みチャンネルとして提示して、提示されたお好みチャンネルから特定のチャンネルを選局する手法が用いられる。さらに、複数の用途に向けて複数のお好みチャンネルを定義する場合もある。
【０００４】
例えば、特許文献１によれば、選局されているチャンネルの映像に重畳して、複数のチャンネルを選択可能にリスト表示し、このリスト表示された複数のチャンネルから任意に選択された複数のチャンネルをマイチャンネルとして登録し、さらにこの登録された複数のチャンネルそれぞれの視聴時間に応じて提示する順番を変えてチャンネル選局の操作性を向上する手法が公開されている。
【先行技術文献】
【特許文献】
【０００５】
【特許文献１】特開２００７−２８２０７６号公報（図４  段落００５０）
【発明の概要】
【発明が解決しようとする課題】
【０００６】
しかし特許文献１によれば、唯一のマイチャンネル（お好みチャンネル）に対するチャンネル登録のためのユーザインターフェース画面であっても、受信可能なチャンネルを複数行に渡ってリスト状に提示するので、背面の表示画像に対する面積率が大きいグラフィック画面を提示することになり、背面の表示画像が見づらくなっていた。
【０００７】
そこで本発明では、複数のお好みチャンネルに対するチャンネル登録のためのユーザインターフェース画面を、背面の表示画像が見やすく提示するチャンネル登録装置およびチャンネル登録方法を提供することを目的とする。
【課題を解決するための手段】
【０００８】
本発明は上述した課題を解決するため、受信可能なチャンネルの中からグループに登録する対象のチャンネルのチャンネル番号または放送局名を示す情報と、当該対象のチャンネルに対する複数のグループへの登録設定を含む複数の設定を行うための複数のグラフィックユーザインターフェース部品とを、１のチャンネルに対して提示する提示手段と、前記提示手段が提示した前記グラフィックユーザインターフェース部品への設定に応じて、前記対象のチャンネルを任意のグループに登録することをユーザに許可する登録手段と、を具備することを特徴とするものである。
【０００９】
また本発明は上述した課題を解決するため、受信可能なチャンネルの中からグループに登録する対象のチャンネルのチャンネル番号または放送局名を示す情報と、当該対象のチャンネルの複数のグループへの登録設定を含む所定の設定を行うための複数のグラフィックユーザインターフェース部品とを、１のチャンネル分について提示し、提示した前記グラフィックユーザインターフェース部品への設定に応じて、前記対象のチャンネルを任意のグループに登録することをユーザに許可する、ことを特徴とするものである。
【発明の効果】
【００１０】
本発明によれば、複数のお好みチャンネルに対するチャンネル登録のためのユーザインターフェース画面を、背面の表示画像が見やすく提示することができる。
【図面の簡単な説明】
【００１１】
【図１】本発明の実施形態に係るチャンネル登録装置であるテレビジョン受像機の構成を示すブロック図。
【図２】本実施形態のテレビジョン受像機を操作するためのリモコンＲＣの一実施形態を示す図。
【図３】番組の画像の一部に重畳されて表示される全てのチャンネル提示画面の一実施形態を示す図。
【図４】お好みチャンネルを提示する処理の一実施形態を示す図。
【図５】特定のチャンネルを任意のお好みチャンネルに登録する処理のフローチャート。
【図６】番組の画像の一部に重畳して表示されるお好みチャンネル登録画面の一実施形態を示す図。
【図７】番組の画像の一部に重畳して表示されるお好みチャンネル登録画面の第１の変形例を示す図。
【図８】番組の画像の一部に重畳して表示されるお好みチャンネル登録画面の第２の変形例を示す図。
【発明を実施するための形態】
【００１２】
以下、本発明における実施形態について図面を用いて説明する。
図１は、本発明の実施形態に係るチャンネル登録装置であるテレビジョン受像機の構成を示すブロック図である。なお本実施形態ではチャンネル登録装置をテレビジョン受像機に適用した例を示すが、本実施形態と同様の構成を備えたＨＤＤレコーダ、ＤＶＤレコーダ、情報処理端末、携帯移動端末などであってもよい。またさらには、ラジオ放送やインターネット等を用いた有線放送などを受信する放送受信装置である例えばセットトップボックスなどであってもよい。
【００１３】
テレビジョン受像機１０は、放送波処理部２０、操作部３１、受光部３２、信号処理制御部４０、ネットワークＩＦ部５１、表示器６１、スピーカ６２、ＨＤＤ７１などで構成されている。
【００１４】
放送波処理部２０は、アンテナＡＴによって受信されたデジタル放送波やアナログ放送波の信号を取得して、この取得した信号に対して特定チャンネルの選局および復調復号処理を施し、映像音声データの他にＥＰＧを作成するためのデータが含まれる信号を信号処理制御部４０に出力する。本実施形態では放送波処理部２０は、チャンネルスキャンなどによって登録された受信可能な一つ以上のチャンネルまたは、お好みチャンネルとして登録された一つ以上のチャンネルの中からアンテナＡＴによって受信される番組の信号を選局する。
【００１５】
操作部３１は、装置を操作する操作入力の情報を受信する。同様に受光部３２は、リモコンＲＣからの操作入力の情報を受光（受信）する。本実施形態では操作部３１は、お好みチャンネルとして登録され１つ以上のチャンネルの中から特定のチャンネルを選択する操作入力や、お好みチャンネルに任意のチャンネルを登録する操作入力などの情報を受信する。
【００１６】
ネットワークＩＦ部５１は、ＬＡＮなどによりインターネットや家庭内ネットワークに接続し、この接続したインターネットを介して提供される番組のデータやＥＰＧを作成するためのデータなどを取得して信号処理制御部４０へ出力する。またＬＡＮなどにより外部ＨＤＤやメモリーカードなどの記録媒体に接続して、番組のデータやＥＰＧを作成するためのデータなどをやりとりする。本実施形態ではネットワークＩＦ部５１は、お好みチャンネルとして登録された１つ以上のチャンネルの中からインターネットを介して提供される番組のデータを取得する。
【００１７】
信号処理制御部４０は、放送波処理部２０やネットワークＩＦ部５１から入力された信号に対してＭＰＥＧ符号化／復号化演算処理や、映像信号と音声信号の分離処理、信号からのデータ抽出処理、または圧縮された信号の解凍処理などを施して、映像音声データを出力すると共に、グラフィックユーザインターフェース部品としてのＯＳＤを生成する処理などを行う。また、ＣＰＵを備えていて各ブロックを利用して複数の処理の実行を制御する。本実施形態では信号処理制御部４０は、お好みチャンネルとして登録された一つ以上のチャンネルから特定のチャンネルを選局する処理や、お好みチャンネルに任意のチャンネルを登録する処理などの実行を制御する。
【００１８】
表示器６１は、信号処理制御部４０から入力された映像信号を表示する、例えばＬＣＤ（Liquid  Crystal  Display）などのディスプレイである。本実施形態では表示器６１は、番組の映像や、お好みチャンネルとして登録された１つ以上のチャンネルから特定のチャンネルを選局するための画面や、お好みチャンネルに任意のチャンネルを登録するための画面などを表示する。
【００１９】
スピーカ６２は、信号処理制御部４０から入力された音声信号を出力する。
ＨＤＤ７１は、放送波処理部２０やネットワークＩＦ部５１などを介して取得した番組のデータやＥＰＧを作成するためのデータなどを保存する機能、この保存した番組の再生やコピーのために番組のデータを信号処理制御部４０へ出力する機能、ＥＰＧ画面の提示のためにＥＰＧを作成するためのデータを信号処理制御部４０へ出力する機能などを有している。また本実施形態ではＨＤＤ７１は、お好みチャンネルに登録されたチャンネルの情報を保存する。
【００２０】
なお、図示していないメモリーカードＩＦ部を介してメモリーカードなどに接続して、この接続したメモリーカードなどにお好みチャンネルに登録されたチャンネルの情報を保存する実施形態であってもよい。
【００２１】
すなわち本発明の実施形態に係るチャンネル登録装置であるテレビジョン受像機１０は、以上の構成により、お好みチャンネルに任意のチャンネルを登録するための画面を提示し、この提示された画面によってお好みチャンネルに登録するチャンネルを追加し、そして、お好みチャンネルとして登録された一つ以上のチャンネルから特定のチャンネルを選局する。なお、これらの処理は、操作部３１やリモコンＲＣに備えられた複数のボタンが押下されて、この操作入力の情報を受信した信号処理制御部４０によって主に実行されるものである。
【００２２】
次に、複数の処理の実行を操作するためのリモコンＲＣに関して、図２を用いて説明する。
図２は、本実施形態のテレビジョン受像機を操作するためのリモコンＲＣの一実施形態を示す図である。
図２に示すリモコンＲＣは、チャンネルＵＰボタン２０１、チャンネルＤＯＷＮボタン２０２、上キー２１１、下キー２１２、右キー２１３、左キー２１４、決定ボタン２１５、お好みチャンネル提示ボタン２２１、お好みチャンネル登録ボタン２２２などを備えている。また、これらのキーやボタン以外にも他の処理を操作するためのボタンが備えられる実施形態や、これらのキーやボタンが操作部３１にも備えられる実施形態であってもよい。
【００２３】
チャンネルＵＰボタン２０１とチャンネルＤＯＷＮボタン２０２は、受信可能なチャンネルをチャンネル番号順で選局するためのボタンである。例えば、チャンネルスキャンなどによって登録された受信可能な一つ以上のチャンネルから、チャンネル番号順で選局する場合などに使用可能である。
【００２４】
上キー２１２と下キー２１３は、お好みチャンネルとして提示されている複数のチャンネルからの特定のチャンネルの選択や、お好みチャンネルへの登録のための受信可能な全てのチャンネルからの特定のチャンネルの選択を行うためのキー（ボタン）である。
【００２５】
右キー２１４と左キー２１５は、全てのチャンネル提示画面と複数のお好みチャンネルとの順次切替えや、お好みチャンネルへの登録画面において設定または非設定をする項目の選択を行うためのキー（ボタン）である。
【００２６】
決定ボタン２１５は、お好みチャンネルとして提示されている複数のチャンネルから上キー２１２または下キー２１３によって選択された特定のチャンネルの選局の確定や、お好みチャンネルへの登録画面において右キー２１４または左キー２１５によって選択された設定または非設定をする項目の確定を行うためのボタンである。
【００２７】
お好みチャンネル提示ボタン２２１は、全てのチャンネル提示画面および複数のお好みチャンネルを提示するためのボタンである。
お好みチャンネル登録ボタン２２２は、受信可能な全てのチャンネルの中から特定のチャンネルを任意のお好みチャンネルに登録するための画面の提示または消去を行うためのボタンである。
【００２８】
次に、お好みチャンネルを提示する処理および提示されたお好みチャンネルから特定のチャンネルを選局する処理に関して、図３、図４を用いて説明する。
図３は、番組の画像３００の一部に重畳されて表示される全てのチャンネル提示画面３０１の一実施形態を示す図であり、図４は、お好みチャンネルを提示する処理の一実施形態を示す図である。
【００２９】
操作部３１やリモコンＲＣに備えられたお好みチャンネル提示ボタン２２１などが押下されて、この操作入力の情報を信号処理制御部４０が受信すると、図３に示すようなＯＳＤの全てのチャンネル提示画面３０１が、表示器６１が表示する番組の画像３００の一部に重畳されて表示される。また全てのチャンネル提示画面３０１には、受信可能な全てのチャンネルの一部のチャンネルのチャンネル番号および放送局名がそれぞれの放送局提示枠内に、チャンネル番号の小さい順に画面上方から下方に順次提示される。
【００３０】
そして提示された受信可能な全てのチャンネルの一部のチャンネルから特定のチャンネルの放送局提示枠が、輪郭を強調する枠強調表示や提示枠の内部に色をつける色づけ表示などによって選択可能に提示されていて、ユーザは操作部３１やリモコンＲＣに備えられた上キー２１１または下キー２１２を利用して、枠強調表示や色づけ表示された放送局提示枠を上下に移動して特定の放送局提示枠を選択し、操作部３１やリモコンＲＣに備えられた決定ボタン２１５を押下することで、この選択された放送局提示枠に対応するチャンネルの放送番組を視聴することができる。
【００３１】
なお本実施形態では、全てのチャンネル提示画面３０１には６つ分の放送局提示枠があるが、全てのチャンネル提示画面３０１の画面上に提示されていないチャンネルが他にも存在していることを示す上方矢印３１１や下方矢印３１２が併せて画面上に提示され、操作部３１やリモコンＲＣに備えられた上キー２１１または下キー２１２が押下されると、６つ分の放送局提示枠に表示されていたチャンネルが上または下にシフトして、上下に隠れて提示されていなかったチャンネルが順次提示される。
【００３２】
また、図４に示すように、全てのチャンネル提示画面４０１が表示されている状態で、ユーザは操作部３１やリモコンＲＣに備えられた右キー２１３または左キー２１４を利用して、例えば左キー２１４が押下されるたびに、お好みチャンネルＡ４０２〜お好みチャンネルＢ４０３〜お好みチャンネルＣ４０４〜お好みチャンネルＤ４０５と、順次４つのお好みチャンネルを切り換えることができる。また、左キー２１４をさらに押下することで、再び全てのチャンネル提示画面４０１を表示することができる。
【００３３】
なお例えば、左キー２１４ではなく右キー２１３が押されるたびに、お好みチャンネルＤ４０５〜お好みチャンネルＣ４０４〜お好みチャンネルＢ４０３〜お好みチャンネルＡ４０２と、左キー２１４が押下されたときと逆順序で、順次４つのお好みチャンネルを切り換えることもできる。すなわち、全てのチャンネル提示画面４０１およびお好みチャンネルＡ４０２〜お好みチャンネルＤ４０５はリング状に切替順序が定義されていて、要求された画面切替の操作入力に応じた切替順序で、順次切り替わるものである。
【００３４】
さらに、お好みチャンネルＡ４０２〜お好みチャンネルＤ４０５においても、操作部３１やリモコンＲＣに備えられた上キー２１１または下キー２１２および決定ボタン２１５を利用して、特定のチャンネルの放送番組を選局して視聴することができる。また、お好みチャンネルＡ４０２〜お好みチャンネルＤ４０５それぞれの画面に提示されるように、４つのお好みチャンネルそれぞれには任意のチャンネルを一つ以上登録することが可能であり、また一つ以上のチャンネルを任意に登録された４つのお好みチャンネルそれぞれに対して、異なるチャンネルの組み合わせを登録することが可能である。なお、お好みチャンネルは４つに限定されるものではない。
【００３５】
次に、特定のチャンネルを任意のお好みチャンネルに登録する処理に関して、図５、図６を用いて説明する。
図５は、特定のチャンネルを任意のお好みチャンネルに登録する処理のフローチャートである。また図６は、番組の画像の一部に重畳して表示されるお好みチャンネルへの登録画面の一実施形態を示す図である。
【００３６】
まず、操作部３１やリモコンＲＣに備えられたお好みチャンネル登録ボタン２２２が押下され、この操作入力の情報を信号処理制御部４０が受信すると、図６に示すようなＯＳＤのお好みチャンネル登録画面６１０が番組の画像６００の一部に重畳して表示される（Ｓ５０１）。そしてお好みチャンネル登録画面６１０には、受信可能な全てのチャンネルの中から、このとき番組の画像６００として表示されている画像を提供するチャンネルだけのチャンネル番号および放送局名を示すチャンネル情報が表示される。
【００３７】
さらに、お好みチャンネル登録画面６１０には、４つのお好みチャンネルそれぞれを示す記号のＡ〜Ｄの文字と、チャンネルのスキップを示す記号のスキップマーク６１１、チャンネルの視聴にパスワードの入力が必要であることを示す記号のパスワードマーク６１２が表示されている。また、それぞれの記号が示す項目に対応して選択可能に設定できる複数のチェック欄が設けられていて、この複数のチェック欄の中で、輪郭を強調する枠強調表示やチェック欄の内部に色をつける色づけ表示などがされているチェック欄は、このときに選択されていることを示している。  具体的には、図６に示すように、受信可能な全てのチャンネルではなく、唯一つのチャンネル番号“ＣＨ００８”と放送局名“テレビＣＣＣ”だけが、このチャンネルに対する複数のチェック欄と共に表示されていて、このときには、お好みチャンネルＢに対応するチェック欄が選択されている。
【００３８】
そして、操作部３１やリモコンＲＣに備えられた上キー２１１または下キー２１２により、お好みチャンネルへの登録対象となるチャンネルを切替えて選択する（Ｓ５０２）。なお、切替えられるチャンネルは、受信可能な全てのチャンネルの中から、例えばチャンネル番号順に順次表示される。また、番組の画像６００の下部には、お好みチャンネル登録画面６１０に対する操作部３１やリモコンＲＣによる操作入力の補助のための操作ガイドエリア６２０が設けられている。
【００３９】
さらに、操作部３１やリモコンＲＣに備えられた右キー２１３または左キー２１４により、お好みチャンネル登録画面６１０に設けられた複数のチェック欄の中で、枠強調表示または色づけ表示などによって選択されているチェック欄を移動させて、任意のチェック欄を選択する（Ｓ５０３）。
【００４０】
そして選択されたチャンネルの選択されたチェック欄に対して、操作部３１やリモコンＲＣに備えられた決定ボタン２１５が押下されることにより、選択されたチェック欄にチェックマークである“レ点”を付して設定を行う（Ｓ５０４）。なお、同一のチェック欄で再び、決定ボタン２１５を押下することで、チェックマークである“レ点”を消去する、すなわち設定を解除する実施形態であってもよい。
【００４１】
すなわち、４つのお好みチャンネルそれぞれを示す記号のＡ〜Ｄの文字に対応するチェック欄に対して“レ点”を付して設定した場合は、このとき表示されているチャンネルが、設定されたそれぞれのお好みチャンネルに登録されることになる。
【００４２】
また、スキップマーク６１１に対応するチェック欄に対して“レ点”を付して設定した場合は、表示されているチャンネルが、操作部３１やリモコンＲＣに備えられた上キー２１１または下キー２１２によるチャンネル切替えでスキップされると共に、４つのお好みチャンネルそれぞれを示す記号のＡ〜Ｄに対応するチェック欄への設定がクリアされる。すなわち、スキップ設定されたチャンネルはお好みチャンネルに登録することができなくなる。
【００４３】
さらに、パスワードマーク６１２に対応するチェック欄に対して“レ点”を付して設定した場合は、表示されているチャンネルを視聴するときに、パスワードの入力を要求される。
【００４４】
具体的には、図６に示すお好みチャンネル登録画面６１０においては、お好みチャンネルＡとお好みチャンネルＣに対応するチェック欄に “レ点”を付して設定しているので、チャンネル番号“ＣＨ００８”はお好みチャンネルＡとお好みチャンネルＣに登録されていて、さらにチャンネル番号“ＣＨ００８”は、スキップ登録やパスワード入力の要求登録などがされていない状態である。
【００４５】
そして以上のような操作を行い、選択されたチャンネルの選択されたチェック欄に対して順次設定を行っていくが、特定のチャンネルを任意のお好みチャンネルに登録する処理を継続し、つまり終了しない場合（Ｓ５０５のＮ）は、再び登録対象となる特定のチャンネルを切替えて選択し（Ｓ５０２）、それぞれのチェック欄を選択し（Ｓ５０３）、順次設定を行っていく（Ｓ５０４）。
【００４６】
なお、再びチャンネルを切替えて選択したときに、番組の画像６００は、新たに選択されたチャンネルから提供される画像を表示してもよいし、特定のチャンネルを任意のお好みチャンネルに登録する操作入力がされたときに選局されていたチャンネルから提供される画像を表示したままにしてもよい。
【００４７】
一方、お好みチャンネル登録ボタン２２２が再び押下されることなどにより、特定のチャンネルを任意のお好みチャンネルに登録する処理を終了する場合（Ｓ５０５のＹ）は、お好みチャンネル登録画面６１０を消去する（Ｓ５０６）。
【００４８】
すなわち、特定のチャンネルを任意のお好みチャンネルに登録する処理においては、特定の唯一のチャンネルごとに、４つのお好みチャンネルへの登録や、スキップ登録、パスワード入力の要求登録などを行うので、省スペース化した画面を用いて、複数の設定を行うことが可能である。
【００４９】
（変形例１）
次に、特定のチャンネルを任意のお好みチャンネルに登録する処理で表示される登録のための画面の変形例に関して、図７を用いて説明する。
図７は、番組の画像の一部に重畳して表示されるお好みチャンネルへの登録画面の第１の変形例を示す図である。
図７に示すように、お好みチャンネル登録画面７１０は番組の画像７００の一部に重畳して表示されるが、このとき、選局されているチャンネルのチャンネル番号および放送局名を表示する選択チャンネル表示エリア７２０は、お好みチャンネル登録画面７１０とは別位置に表示される。そして、お好みチャンネル登録画面７１０に表示される、複数の記号やチェック欄は、図６に示すお好みチャンネル登録画面６１０に表示されるものと同義のものである。
【００５０】
（変形例２）
次に、特定のチャンネルを任意のお好みチャンネルに登録する処理で表示される登録のための画面の変形例に関して、図８を用いて説明する。
図８は、番組の画像の一部に重畳して表示されるお好みチャンネルへの登録画面の第２の変形例を示す図である。
図８に示すように、お好みチャンネル登録画面８１０は番組の画像８００の一部に重畳して表示されるが、このとき、番組の画像８００の右下に表示されるものである。そして、お好みチャンネル登録画面８１０に表示される、選局されているチャンネルのチャンネル番号および放送局名や、複数の記号、チェック欄は、図６に示すお好みチャンネル登録画面６１０に表示されるものと同義のものであるが、お好みチャンネル登録画面８１０においては、スキップマーク８１１に対応するチェック欄にチェックマークである“レ点”が付されて設定されていてチャンネル番号“ＣＨ００５”はスキップ登録がされているため、お好みチャンネルＡ〜お好みチャンネルＤに登録することができない状態である。
【００５１】
なお、お好みチャンネル登録画面８１０が表示される位置は右下に限定されるものではなく、右上、左下、左上など番組の画像８００の中央部を隠さない位置であってもよいし、また、番組の画像８００と重ならない位置であってもよい。
【００５２】
以上説明したように本実施形態によれば、登録対象となる特定のチャンネルだけを表示して、この表示されたチャンネルに対して、複数のお好みチャンネルへの登録や、スキップ登録、パスワード入力の要求登録などを、一括して設定するための画面を、その機能を損なわない程度に小さくするので、複数のお好みチャンネルに対するチャンネル登録のためのユーザインターフェース画面を、背面の表示画像が見やすく提示することが可能である。
【００５３】
また本発明は、上述した実施形態に限定されるものではなく、本発明の要旨を変えない範囲において、種々の変更、改変等が可能である。
【符号の説明】
【００５４】
１０…テレビジョン受像機、２０…放送波処理部、３１…操作部、３２…受光部、４０…信号処理制御部、５１…ネットワークＩＦ部、６１…表示器、６２…スピーカ、７１…ＨＤＤ、ＲＣ…リモコン、６１０…お好みチャンネル登録画面、６１１…スキップマーク、６１２…パスワードマーク。
【図１】
2010206825.tif 000003
【図２】
2010206825.tif 000004
【図３】
2010206825.tif 000005
【図４】
2010206825.tif 000006
【図５】
2010206825.tif 000007
【図６】
2010206825.tif 000008
【図７】
2010206825.tif 000009
【図８】
2010206825.tif 000010